(57)【要約】【課題】小型化が可能でありながら、画像加工を行う上での操作性の良い撮像装置およびカメラシステムを提供する。【解決手段】画像データを送信して、該画像に対する画像加工の内容を表す加工データを受信する通信部と、通信部が受信した加工データに基づいた画像加工を画像に施す画像加工部とを備えた撮像装置、およびキーによる操作を受けるキー操作部と、通信部によって送信された画像データを受信する画像受信部と、画像受信部で受信された画像データが表す画像に対する画像加工について、キー操作部へのキー操作に応じた内容を表す加工データを作成する加工データ作成部と、加工データ作成部で作成された加工データを通信部に送信する加工データ送信部とを備えた。【選択図】        図８
2007074012.tif 000002
【特許請求の範囲】
【請求項１】
被写体を捉えた撮影によって、その被写体の画像を表す画像データを生成する撮像装置であって、前記画像を表す画像データを送信して、該画像に対する画像加工の内容を表す加工データを受信する通信部と、前記通信部が受信した加工データに基づいた画像加工を前記画像に施す画像加工部とを備えた撮像装置；および
複数のキーが配列された、該キーによる操作を受けるキー操作部と、前記通信部によって送信された画像データを受信する画像データ受信部と、前記画像データ受信部で受信された画像データが表す画像に対する画像加工について、前記キー操作部へのキー操作に応じた内容を表す加工データを作成する加工データ作成部と、前記加工データ作成部で作成された加工データを前記通信部に送信する加工データ送信部とを備えた携帯端末装置；
を備えたことを特徴とするカメラシステム。
【請求項２】
前記通信部は、前記画像データを前記画像データ受信部にワイヤレスで送信して、前記加工データをワイヤレスで前記加工データ送信部から受信するものであることを特徴とする請求項１記載のカメラシステム。
【請求項３】
複数のキーが配列された、該キーによる操作を受けるキー操作部と、前記キー操作部が操作を受けたのに応じてその操作を表す操作データを送信する操作データ送信部とを備えた携帯端末装置；および
被写体を捉えた撮影によって、その被写体の画像を表す画像データを生成する撮像装置であって、前記画像を表示する画像表示部と、前記操作データを受信する操作データ受信部と、前記画像表示部に表示された画像に対し、前記受信部で受信した操作データが表す操作に応じた画像加工を施す画像加工部とを備えた撮像装置；
を備えたことを特徴とするカメラシステム。
【請求項４】
前記操作データ受信部は、前記操作データをワイヤレスで前記操作データ送信部から受信することを特徴とする請求項３記載のカメラシステム。
【請求項５】
前記携帯端末装置は、携帯電話であることを特徴とする、請求項１または請求項３記載のカメラシステム。
【請求項６】
前記画像加工は、画像および／または文字の合成であることを特徴とする、請求項１または請求項３記載のカメラシステム。
【請求項７】
被写体を捉えた撮影によって、その被写体の画像を表す画像データを生成する撮像装置において、
前記画像を表す画像データを送信して、該画像に対する画像加工の内容を表す加工データを受信する通信部と、
前記通信部が受信した加工データに基づいた画像加工を前記画像に施す画像加工部とを備えたことを特徴とする撮像装置。
【請求項８】
被写体を捉えた撮影によって、その被写体の画像を表す画像データを生成する撮像装置において、
前記画像を表示する画像表示部と、
複数のキーが配列された、該キーによる操作を受けるキー操作部を有する携帯端末装置から、前記キー操作部が操作を受けたのに応じてその操作を表す操作データを受信する操作データ受信部と、
前記画像表示部に表示された画像に対し、前記受信部で受信した操作データが表す操作に応じた画像加工を施す画像加工部とを備えたことを特徴とする撮像装置。
【発明の詳細な説明】
【技術分野】
【０００１】
本発明は、被写体を捉えた撮影によってその被写体の画像を表す画像データを生成する撮像装置、および複数のキーが配列された携帯端末装置に関する。
【背景技術】
【０００２】
近年、デジタルカメラを中心とする撮像装置の分野では、撮像装置のハードウェアの技術発展と共に、撮像装置で得られた画像の処理を行うためのソフトウェア技術の発展も盛んである。
【０００３】
こうしたソフトウェア技術の一つに、撮影で得られた画像に、文字や絵などを付け加えて合成する画像加工の技術がある。このような画像加工は、従来コンピュータの画面上でキーボードの操作を通じて行われることが多かったが、最近ではデジタルカメラにキーボードを備え、このキーボードの操作を通じて画像加工をすることができるデジタルカメラが提案されている（例えば、特許文献１参照）。このようなデジタルカメラでは、戸外などコンピュータが手元にない環境でも撮影した画像をその場で画像加工することができ、利便性が良い。
【特許文献１】特開２００３−９０６７号公報
【発明の開示】
【発明が解決しようとする課題】
【０００４】
しかしながら、最近のデジタルカメラは小型化の方向に進んでおり、上記のようなキーボードを備えたデジタルカメラは、キーの操作性の問題からある程度の大きさが必要となるため、こうした小型化の要請に答えることができない。
【０００５】
本発明は、上記事情に鑑み、小型化が可能でありながら、画像加工を行う上での操作性の良い撮像装置およびカメラシステムを提供することを目的とする。
【課題を解決するための手段】
【０００６】
上記目的を達成するための本発明の第１のカメラシステムは、
被写体を捉えた撮影によって、その被写体の画像を表す画像データを生成する撮像装置であって、上記画像を表す画像データを送信して、該画像に対する画像加工の内容を表す加工データを受信する通信部と、上記通信部が受信した加工データに基づいた画像加工を上記画像に施す画像加工部とを備えた撮像装置；および
複数のキーが配列された、該キーによる操作を受けるキー操作部と、上記通信部によって送信された画像データを受信する画像データ受信部と、上記画像データ受信部で受信された画像データが表す画像に対する画像加工について、上記キー操作部へのキー操作に応じた内容を表す加工データを作成する加工データ作成部と、上記加工データ作成部で作成された加工データを上記通信部に送信する加工データ送信部とを備えた携帯端末装置；
を備えたことを特徴とする。
【０００７】
本発明の第１のカメラシステムは、キー操作が可能な携帯端末装置に画像データを送り、そこで画像加工に必要な加工データを作成させた後、撮像装置側でその加工データに基づく画像加工を画像に施すため、画像加工を行うために撮像装置側でキー操作が行わなくても携帯端末装置側でのキー操作により画像加工を行うことができ、撮像装置側の限られたスペースにキー操作部を設ける必要がない。このため、小型化に適した撮像装置が実現され、さらに撮像装置よりもキー操作に適した携帯端末装置を利用することで、画像加工を行う上での操作性が良い。
【０００８】
また、本発明の第１のカメラシステムにおいて、「上記通信部は、上記画像データを上記画像データ受信部にワイヤレスで送信して、上記加工データをワイヤレスで上記加工データ送信部から受信するものである」という形態は好ましい形態である。
【０００９】
このような形態のカメラシステムにより、携帯端末装置と撮像装置との間で、ケーブルなどの余計な媒介物を必要とせずに画像データや加工データの通信を行うことができ、利便性が高い。
【００１０】
上記目的を達成するための本発明の第２のカメラシステムは、
複数のキーが配列された、該キーによる操作を受けるキー操作部と、上記キー操作部が操作を受けたのに応じてその操作を表す操作データを送信する操作データ送信部とを備えた携帯端末装置；および
被写体を捉えた撮影によって、その被写体の画像を表す画像データを生成する撮像装置であって、上記画像を表示する画像表示部と、上記操作データを受信する操作データ受信部と、上記画像表示部に表示された画像に対し、上記受信部で受信した操作データが表す操作に応じた画像加工を施す画像加工部とを備えた撮像装置；
を備えたことを特徴とする。
【００１１】
本発明の第２のカメラシステムでは、ユーザは、携帯端末装置の有するキー操作部を操作することで、撮像装置の画像表示部に表示された画像を見ながら画像加工を行うことができるので、撮像装置側の限られたスペースにキー操作部を設ける必要がない。このため、小型化に適した撮像装置が実現され、さらに撮像装置よりもキー操作に適している携帯端末装置を利用することで、画像加工を行う上での操作性が良い。
【００１２】
また、本発明の第２のカメラシステムにおいて、「上記操作データ受信部は、上記操作データをワイヤレスで上記操作データ送信部から受信する」という形態は好ましい形態である。
【００１３】
このような形態のカメラシステムにより、携帯端末装置から撮像装置に対し、ケーブルなどの余計な媒介物を必要とせずに操作データの送信を行うことができ、利便性が高い。
【００１４】
また、本発明の第１のカメラシステムおよび第２のカメラシステムにおいて、「上記携帯端末装置は、携帯電話である」という形態は好ましい形態である。
【００１５】
このような形態のカメラシステムにより、ユーザにとって扱い慣れた携帯電話のキー操作部を利用して、簡単に画像加工を行うことができる。
【００１６】
また、本発明の第１のカメラシステムおよび第２のカメラシステムにおいて、「上記画像加工は、画像および／または文字の合成である」という形態も好ましい形態である。
【００１７】
このような形態のカメラシステムにより、携帯端末装置のキー操作部を利用して簡単に、画像および／または文字の合成を行うことができる。
【００１８】
上記目的を達成するための本発明の第１の撮像装置は、
被写体を捉えた撮影によって、その被写体の画像を表す画像データを生成する撮像装置において、
上記画像を表す画像データを送信して、該画像に対する画像加工の内容を表す加工データを受信する通信部と、
上記通信部が受信した加工データに基づいた画像加工を上記画像に施す画像加工部とを備えたことを特徴とする。
【００１９】
本発明の第１の撮像装置は、画像加工を行うのに必要な加工データを受け取ると、その加工データに基づく画像加工を画像に対して施すため、画像加工を行うための撮像装置側でのキー操作が必要とされない。このため、撮像装置側の限られたスペースにキー操作部を設ける必要がなく、小型化に適した撮像装置が実現される。
【００２０】
上記目的を達成するための本発明の第２の撮像装置は、
被写体を捉えた撮影によって、その被写体の画像を表す画像データを生成する撮像装置において、
上記画像を表示する画像表示部と、
複数のキーが配列された、該キーによる操作を受けるキー操作部を有する携帯端末装置から、前記キー操作部が操作を受けたのに応じてその操作を表す操作データを受信する操作データ受信部と、
上記画像表示部に表示された画像に対し、上記受信部で受信した操作データが表す操作に応じた画像加工を施す画像加工部とを備えたことを特徴とする。
【００２１】
本発明の第２の撮像装置は、画像加工を行うためにユーザによる携帯端末装置のキー操作部への操作を受けて、その操作に応じた画像加工を施すため、画像加工を行うための撮像装置側でのキー操作が必要とされない。このため、撮像装置側の限られたスペースにキー操作部を設ける必要がなく、小型化に適した撮像装置が実現される。
【発明の効果】
【００２２】
本発明の撮像装置およびカメラシステムによれば、小型化が可能でありながら、画像加工を行う上での操作性が良い。
【発明を実施するための最良の形態】
【００２３】
以下、本発明の撮像装置の第１の実施形態、および本発明のカメラシステムの第１の実施形態を説明する。
【００２４】
図１は、本発明の撮像装置の一実施形態が適用された本発明のカメラシステムの一実施形態を表す図である。
【００２５】
このカメラシステム４００は、撮影により画像データを生成するデジタルカメラ１００と、無線の電話機能を有する携帯電話２００とから構成されている。これらデジタルカメラ１００と携帯電話２００とは、後述するように、どちらも赤外線通信を行う機能を備えており、この機能を利用して、携帯電話２００上のキーの操作によってデジタルカメラ１００内の画像に加工が施される。この画像加工の詳細については後述する。ここで、このデジタルカメラ１００が本発明にいう撮像装置の一例に相当し、携帯電話２００が本発明のカメラシステムが有する携帯端末装置の一例に相当する。また、このデジタルカメラ１００は、本発明のカメラシステムが有する撮像装置の一例にも相当する。
【００２６】
以下では、まずこのデジタルカメラ１００について説明する。
【００２７】
図２は、本発明の撮像装置の一実施形態であるデジタルカメラを前面斜め上から見た外観斜視図であり、図３は、このデジタルカメラを背面斜め上から見た外観斜視図である。
【００２８】
図２に示すように、このデジタルカメラ１００の前面中央部には、撮影レンズ１０１が備えられている。また、このデジタルカメラ１００の前面上部には、光学式ファインダ対物窓１０２および閃光発光部１０３が備えられている。さらに、このデジタルカメラ１００の上面には、スライド式の電源スイッチ１０４、静止画撮影を指示するためのレリーズスイッチ１５０が備えられている。さらに背面には、赤外線通信を行うための赤外線通信窓１３１、光学式ファインダ接眼窓１０６、メニューボタン１６０、実行／画面切換スイッチ１７０、ＬＣＤ１３０、十字キー２４、モードダイヤル１０が備えられている。
【００２９】
モードダイヤル１０は、図で両矢印で示す方向に回転することができるダイヤルとなっており、ユーザは、このモードダイヤル１０を操作することによって、静止画撮影モード（Ｃａｍ）、再生モード（Ｐｌａｙ）、動作設定を行うモードである動作設定モード（Ｓｅｔｕｐ）の３つのモードが選択できる。この図３では、再生モード（Ｐｌａｙ）が選択された状態が示されている。
【００３０】
図４は、図２および図３に外観を示すデジタルカメラの概略構成図である。
【００３１】
このデジタルカメラ１００には、図では不図示のフォーカスレンズやズームレンズ、絞りなどの光学系、および光学系の制御を行う制御部、撮像素子の１種であるＣＣＤなどが配備された撮像部１１０が備えられており、図で一点鎖線で示す被写体光は、常時、この撮像部１１０において、被写体光を表わすアナログの画像信号に変換される。このアナログの画像信号は、画像信号処理部１２２において処理され、最終的にデジタル化された画像データとなり、画像表示の制御を行う表示制御部１２３を介してＬＣＤ１３０上に、この画像データで表された画像（いわゆるスルー画）が表示される。さらに静止画撮影モードが選択され図２のレリーズスイッチ１３０が操作された場合には、画像信号処理部１２２において処理された画像データは、画像記録部１４０によりＪＰＥＧ圧縮が施されてメモリカード１４１に記録される。
【００３２】
また、このデジタルカメラ１００には、画像データが一時的に保存されるバッファメモリ１２８や、図３に示す赤外線通信窓１３１を介して携帯電話２００と通信を行う通信部１３５が備えている。後述するように、この通信部１３５により、図１に示す携帯電話と画像データなどの情報のやりとりが行われ、携帯電話２００からの指示に基づき、このデジタルカメラ１００内の画像の加工が行われる。
【００３３】
また、この図４では、図２および図３に示すモードダイヤル１０、レリーズスイッチ１５０などといった各種のスイッチやボタンは、操作部１５１として一括して示されている。従って、例えば、レリーズスイッチ１５０を押すことによる静止画撮影の指示などは、この操作部１５１の操作に含まれる。
【００３４】
さらに、このデジタルカメラ１００には、プログラムなどを格納するメモリであるＲＯＭ１２１が配備されており、このＲＯＭ１２１には、このデジタルカメラ１００の各部の制御を行うＣＰＵ１２０が実行する動作の手順を示したプログラムが格納され、操作部１５１が操作されると、このプログラムに従ってその操作に応じた処理が実行される。このＣＰＵ１２０と、撮像部１１０、画像信号処理部１２２、表示制御部１２３、画像記録部１４０などの各部との間のデータの受け渡しはバス１２００を介して行なわれ、そのバス１２００を介してデータの受け渡しが行なわれるときのバッファとしてＲＡＭ１２９が備えられている。このＲＡＭ１２９に各部の処理プロセスの進行状況に応じて変数となるデータが随時書き込まれて、前述の撮像部１１０、画像信号処理部１２２などの各部では、そのデータを参照することにより、それぞれ適切な処理が行われる。特に、画像の加工の際には、画像信号処理部１２２は、携帯電話の機種を認識する機種認識部１２２＿１，画像に書き加えられる文字や絵の位置を算出する位置算出部１２２＿２，画像のサイズを変換する画像変換部１２２＿３，画像合成を行い合成部１２２＿４，文字や絵のコードを認識するコード認識部１２２＿５としても動作する。
【００３５】
以上が図２および図３に外観を示すデジタルカメラ１００の構成の概略である。続いて図１に示す携帯電話２００について説明する。
【００３６】
図５は、図１に示す携帯電話の外観図である。
【００３７】
図５に示すように、この携帯電話２００には、赤外線通信を行うための赤外線通信窓１３１ａ、スライド式の電源スイッチ１０４ａ、電話番号などが表示されるＬＣＤ１３０ａ、メニューボタン１６０ａ、十字キー２４ａ、電話番号などを設定するためのテンキー２０５が備えられている。また、電話する際に、電話の話相手の声が出てくる受話口２０１と、ユーザの声を得るための発音口２０２とが、携帯電話２００の上部と下部にそれぞれ備えられている。
【００３８】
図６は、図５に外観を示す携帯電話の概略構成図である。
【００３９】
この携帯電話２００には、発音口２０２から得られたユーザの声を電波に変えるとともに、送られてきた電波を音声に変換して受話口２０１から発する通信部１３５ａが備えられている。この通信部１３５ａには、図１に示すデジタルカメラ１００と、赤外線窓１３１ａを介して赤外線通信を行う機能も備えている。また、この携帯電話２００には、表示を行うＬＣＤ１３０ａ、電話番号や画像などのデータを蓄えるバッファメモリ１２８ａ、各種の信号処理を行う信号処理部１２２ａ、プログラムなどを格納するメモリであるＲＯＭ１２１ａ、データの受け渡し行うためのバス１２００ａ、そのバス１２００ａを介してデータの受け渡しが行なわれるときのバッファとなるＲＡＭ１２９ａ、携帯電話２００の制御部としての役割を担うＣＰＵ１２０ａも備えられている。この図６では、図５に示すテンキー２０５、メニューボタン１６０ａ、十字キー２４ａなどの各種のスイッチやボタンは、操作部１５１ａとして一括して示されている。
【００４０】
以上が図５に外観を示す携帯電話２００の構成の概略である。
【００４１】
この携帯電話２００には、図１のデジタルカメラ１００内の画像に画像加工を行うための所定のアプリケーションソフトウェアがインストールされており、この携帯電話２００は、通常の電話として機能するだけでなく、デジタルカメラ１００内の画像に対し画像加工をするための機器としても機能する。この画像加工の際には、上記の通信部１３５ａは、赤外線通信によってデジタルカメラ１００と必要な情報の通信を行う。以下では、この画像加工を行うための作業について説明する。
【００４２】
図７は、図５に示すＬＣＤ上に表示されるアプリケーションメニューの画面を表す図である。
【００４３】
図５に示すメニューボタン１６０ａの操作により、図７に示す、この携帯電話２００にインストールされているアプリケーションソフトウェアの一覧が表示される。
【００４４】
この携帯電話２００には、図７に示すように、デジタルカメラ１００内の画像に対し画像加工を行うための「画像加工」のアプリケーションソフトウェアと、「ゲーム１」および「ゲーム２」のアプリケーションソフトウェアがインストールされており、この図では、「画像加工」が選択されている様子が示されている。この「画像加工」が選択されることにより、この携帯電話２００は、デジタルカメラ１００との通信を行うことができる態勢に入る。
【００４５】
以下では、この携帯電話２００において「画像加工」が選択されている状態で、図１に示すカメラシステム４００において行われる画像加工の作業の流れについて、具体例を用いて説明する。
【００４６】
図８は、図１に示すカメラシステムにおける画像加工の作業の流れを表すフローチャートである。
【００４７】
まずデジタルカメラ１００において、図３に示すモードダイヤル１０によって再生モードが選択されて、図４に示すメモリカード１４１の中から撮影で得られた画像の一つが図３に示すＬＣＤ１３０上に再生される（ステップＳ１）。画像加工をしない場合（ステップＳ２；Ｎｏ）には、画像を再生するだけでそのまま終了し、画像加工をする場合（ステップＳ２；Ｙｅｓ）には、再生された画像に画像加工を施すため、以下の例に示すような操作が行われる。
【００４８】
図９は、図３に示すＬＣＤ１３０上に再生されている画像を表す図である。
【００４９】
図９のパート（ａ）に示すように、チューリップの画像が再生されており、ここで図３に示すメニューボタン１６０を操作することにより、図９のパート（ｂ）に示すような「画像加工」についての選択肢が表示される。この図では、「画像加工」を「する」が選択された状態が示されている。以下では、この図９のパート（ａ）（および、図９のパート（ｂ））に示されているチューリップの画像に対して、画像加工を行う場合を例にとって説明を行う。
【００５０】
図９のパート（ｂ）に示すように、画像加工を行うことが選択されると、デジタルカメラ１００では図４に示す通信部１３５を通じて、図７に示す手続きにより通信を行うことができる態勢に入っている携帯電話２００に対し、携帯電話２００についての情報を要求する（図８のステップＳ３）。ここで、携帯電話２００についての情報とは、携帯電話２００の機種に付随する情報（表示可能な画像フォーマットの情報、機種特有の絵のコード情報など）や、図５に示す携帯電話２００のＬＣＤ１３０ａ上に画像を表示する際の画素数についての情報である。この要求を受けた携帯電話２００は、必要な情報を、図６に示す通信部１３５ａを介してデジタルカメラ１００に送信する（図８のステップＳ４）。この情報は、デジタルカメラ１００において、図４に示す機種認識部１２２＿１として動作する信号処理部１２２によって認識され、図９のパート（ａ）に示す画像を携帯電話２００のＬＣＤ１３０ａ上に表示するために必要な画像処理が決定される。そして、携帯電話２００のＬＣＤ１３０ａ上で表示される際の画素数に合わせるために、画像変換部１２２＿３として動作する信号処理部１２２により、図９のパート（ａ）に示す画像に対して、画素の間引きを行って画像を縮小する処理が行われる。図９のパート（ａ）に示す画像は、図に示すように縦６４ｍｍ，横８０ｍｍの大きさの画面に収まっており、一方、携帯電話２００のＬＣＤ１３０ａ上でこの画像がうまく収まるようにするには、この画像を縦３２ｍｍ，横４０ｍｍの大きさ（サムネイルサイズ）に縮小する必要がある。このため、図９のパート（ａ）に示す画像は、画像サイズが半分の大きさに縮小されることとなる。
【００５１】
また、機種によっては、特定の画像フォーマットの画像のみ表示できる携帯電話もあり、この場合には、画像変換部１２２＿３は、その画像フォーマットに変換する作業も行う。このように携帯電話２００のＬＣＤ１３０ａ上で表示可能なように変換された画像は、図４に示す通信部１３５を介して携帯電話２００に送信される（図８のステップＳ５）。
【００５２】
携帯電話２００では、送信されてきたサムネイルサイズの画像を携帯電話２００のＬＣＤ１３０ａ上に表示する（図８のステップＳ６）。ユーザは、この携帯電話２００のＬＣＤ１３０ａ上に表示されている画像を見ながら所望の箇所に気に入った絵や文字を、図５に示すテンキー２０５などを用いて書き入れる。このキー操作を受けて、図６に示す画像情報作成部１２２ａ＿１として動作する信号処理部１２２ａは、元のサムネイルサイズの画像に対する絵や文字の位置についての情報や、その絵や文字の内容を表すコードの情報を取得し、位置情報を表すテキスト形式のデータと、絵や文字を表すコード情報のデータとをそれぞれ作成する（図８のステップＳ７）。以下では、このように書き入れられた絵や文字を、書き入れられる前の元の画像に対比して入力画像と呼ぶ。
【００５３】
図１０は、絵が書き込まれた画像と、その絵についての位置情報のデータとコード情報のデータとを表した図である。
【００５４】
図１０のパート（ａ）に示すように、半分のサイズ（縦３２ｍｍ×横４０ｍｍ）となったチューリップの画像の右下に、いわゆる「にこちゃんマーク」が書き込まれており、この「にこちゃんマーク」がこの例における入力画像である。この「にこちゃんマーク」は、図で左から２８ｍｍ，上から２４ｍｍの位置が、書き出しの先頭位置となっており、図１０のパート（ｂ）に示す位置情報には、その書き出しの先頭位置の情報が、それぞれ、「位置Ｘ」が「２８」、「位置Ｙ」が「２４」として表されている。さらに図１０のパート（ｂ）に示すように、この「にこちゃんマーク」を表すコードとして「ＮＩＫＯＣＹＡＮ」がコード情報に表されている。
【００５５】
この具体例では、このような「にこちゃんマーク」の絵を例として話を進めるが、この絵の他に、別の絵や文字などを画像につけ加える場合には、それぞれの絵や文字について、位置情報のデータおよびコード情報のデータが作成されることになる。
【００５６】
図１０のパート（ｂ）に示す位置情報のデータおよびコード情報のデータは、入力画像に関する情報として、デジタルカメラ１００に向けて送信される（図８のステップＳ８）。
【００５７】
デジタルカメラ１００では、位置情報のデータおよびコード情報のデータを受信すると、まず位置情報のデータに基づき、図９のパート（ａ）に示す画像に対する入力画像（「にこちゃんマーク」）の位置の算出が、図４に示す位置算出部１２２＿２として動作する信号処理部１２２によって行われる。図１０に示す「にこちゃんマーク」の書き出しの先頭位置は、全体の画像中での相対的な位置としては、横方向について左から２８ｍｍ／４０ｍｍ＝７／１０の位置にあり、縦方向について上から２４ｍｍ／３２ｍｍ＝３／４の位置にある。そこで、位置算出部１２２＿２は、この比率を反映させるため、図９のパート（ａ）に示す画像に対して、横方向について左から８０ｍｍ×７／１０＝５６ｍｍの位置、縦方向について上から６４ｍｍ×３／４＝４８ｍｍの位置を、「にこちゃんマーク」の書き出しの先頭位置として算出する（図８のステッＳ９）。続いて、図４に示すコード認識部１２２＿５として動作する信号処理部１２２は、コード情報から入力画像が「にこちゃんマーク」であることを認識して、画像変換部がこの「にこちゃんマーク」を、前述のステップＳ５において図９のパート（ａ）に示す画像を半分の大きさに縮小したことに基づき、今度は、図１０のサムネイルサイズの画像における「にこちゃんマーク」の大きさの２倍に拡大する。そして、最終的に合成部１２２＿４として動作する信号処理部１２２は、この拡大された「にこちゃんマーク」を、位置算出部１２２＿２により算出された位置を書き出しの先頭位置として、図９のパート（ａ）に示す画像に対して合成し（ステップＳ１０）、合成画像がＬＣＤ１３０上に表示される。
【００５８】
図１１は、図９に示す画像に対し、入力画像が合成されてできた合成画像を表す図である。
【００５９】
図１１に示すように、図１０に示す携帯電話２００のＬＣＤ１３０ａ上の画像が拡大されて、合成画像となってデジタルカメラ１００のＬＣＤ１３０上に表示される。
【００６０】
この合成の後、ユーザにより合成された画像を記録することが選択されたか否かが判定され（ステップＳ１１）、記録することが選択された場合（ステップＳ１１；Ｙｅｓ）は、図４に示すメモリカード１４１にこの合成画像を表す画像データが記録される。
、ユーザがこの合成画像が気に入らなかった場合など、記録することが選択されない場合（ステップＳ１１；Ｎｏ）は、ここで「にこちゃんマーク」を書き入れるという画像加工の作業は終了する。
【００６１】
このように、このデジタルカメラ１００、およびこのカメラシステム４００では、携帯電話２００のＬＣＤ１３０ａを見ながら携帯電話２００の操作を通じて、画像加工を簡単に行うことができる。
【００６２】
以上の説明において、デジタルカメラ１００の有する通信部１３５が、本発明の第１のカメラシステムおよび本発明の第１の撮像装置の通信部の一例に相当し、また、デジタルカメラ１００の有する、機種認識部１２２＿１、位置算出部１２２＿２、画像変換部１２２＿３、合成部１２２＿４、コード認識部１２２＿５を合わせたものが、本発明の第１のカメラシステムおよび本発明の第１の撮像装置の画像加工部の一例に相当する。また、携帯電話２００のテンキー２０５が、本発明の第１のカメラシステムのキー操作部の一例に相当し、携帯電話２００の通信部１３５ａが、本発明の第１のカメラシステムの画像データ受信部の一例に相当するとともに、加工データ送信部の一例にも相当し、携帯電話２００の画像情報作成部１２２ａ＿１が、本発明の第１のカメラシステムの加工データ作成部の一例に相当する。
【００６３】
以上が本発明の撮像装置の第１の実施形態、および本発明のカメラシステムの第１の実施形態の説明である。
【００６４】
以上説明した実施形態では、携帯電話の表示画面を見ながら画像加工を行ったが、携帯電話を単にキーボード代わりに用いて、撮像装置の表示画面上で直接画像加工を行う形態も考えられる。以下では、このような特徴を備えた本発明の撮像装置の第２の実施形態、および本発明のカメラシステムの第２の実施形態について説明する。
【００６５】
これら本発明の撮像装置の第２の実施形態、および本発明のカメラシステムの第２の実施形態が、前述の本発明の撮像装置の第１の実施形態、および本発明のカメラシステムの第１の実施形態と異なる点は、撮像装置に、携帯電話をキーボード代わりに用いて撮像装置の表示画面上で直接画像加工を行う機能が備えられている点にあり、それ以外の機能や外観、および携帯電話については、前述の本発明の撮像装置の第１の実施形態、および本発明のカメラシステムの第１の実施形態と同じである。従って外観図は、図１〜図３および図５を参照することとし、ここでは図示および重複説明は省略する。
【００６６】
図１２は、表示画面上で直接画像加工を行う機能を有するデジタルカメラの概略構成図である。
【００６７】
このデジタルカメラ１００’の構成が、図４に示す構成と異なる点は、図１２に示す信号処理部１２２’が、図４に示す機種認識部１２２＿１，位置算出部１２２＿２，画像変換部１２２＿５，コード認識部１２２＿５として動作するのではなく、携帯電話上のキー操作を理解するためのキー操作認識部１２２＿６として動作する点にあり、それ以外の構成については図４の構成と同じであり、ここでは重複説明は省略する。
【００６８】
また、第２の実施形態における携帯電話の構成は、図６に示す構成と同じであり、ここでは重複説明は省略する。ただし、この第２の実施形態においては、携帯電話側で画像を表示する必要がないために、図６に示す携帯電話の信号処理部１２２ａが、図６に示す画像情報作成部１２２ａ＿１として動作する必要はない。
【００６９】
以下では、携帯電話をキーボード代わりに用いて撮像装置の表示画面上で直接画像加工を行うための作業について説明する。
【００７０】
図１３は、撮像装置の表示画面上で直接画像加工を行うカメラシステムにおける画像加工の作業の流れを表すフローチャートである。
【００７１】
まずデジタルカメラ１００’において、再生モードが選択されて撮影で得られた画像の一つがＬＣＤ上に再生される（ステップＳ２１）。画像加工をしない場合（ステップＳ２２；Ｎｏ）には、画像を再生するだけでそのまま終了し、画像加工をする場合（ステップＳ２２；Ｙｅｓ）には、再生された画像に画像加工を施すため、図９に示す操作と同じ操作が行われる。
【００７２】
図９のパート（ｂ）に示すのと同じ手続きを踏んで画像加工を行うことが選択されると、デジタルカメラ１００’から携帯電話２００に対し、携帯電話２００で用いられているキーについての情報、すなわちどのキーが、どのような文字や絵に対応するかの情報を要求する。（ステップＳ２３）。この要求を受けた携帯電話２００では、必要な情報をデジタルカメラ１００’に送信する（ステップＳ２４）。この情報は、デジタルカメラ１００’において、図４に示すキー操作認識部１２２＿６として動作する信号処理部１２２によって認識され、この結果、携帯電話２００でのキー操作がデジタルカメラ１００’側で理解されるようになり、デジタルカメラ１００’は、入力画像についてのキー入力の待機状態に入る（ステップＳ２５）。携帯電話２００では、ユーザからのキー入力を受け、そのキー入力の内容をデジタルカメラ１００’に送信する（ステップＳ２６）。デジタルカメラ１００’側では、送られてきたキー入力の内容をキー操作認識部１２２＿６が解釈し、そのキー入力の内容を反映した入力画像が元の画像に合成され（ステップＳ２７）、合成画像がＬＣＤ１３０上に表示される。この合成の後、ユーザにより合成画像を記録することが選択されたか否かが判定され（ステップＳ２８）、記録することが選択された場合（ステップＳ２８；Ｙｅｓ）は、図４に示すメモリカード１４１にこの合成画像を表す画像データが記録される。
、ユーザがこの合成された画像が気に入らなかった場合など、記録することが選択されない場合（ステップＳ２８；Ｎｏ）は、この入力画像を書き入れる画像加工の作業は終了する。
【００７３】
以上の説明において、デジタルカメラ１００’の有する、キー操作認識部１２２＿６、合成部１２２＿４を合わせたものが、本発明の第２のカメラシステムおよび本発明の第２の撮像装置の画像加工部の一例に相当し、ＬＣＤ１３０が、本発明の第２のカメラシステムおよび本発明の第２の撮像装置の画像表示部の一例に相当する。また、携帯電話２００のテンキー２０５が、本発明の第２のカメラシステムのキー操作部の一例に相当し、携帯電話２００の通信部１３５ａが、本発明の第２のカメラシステムの操作データ送信部の一例に相当する。
【００７４】
以上が本発明の撮像装置の第２の実施形態、および本発明のカメラシステムの第２の実施形態の説明である。
【００７５】
以上説明した第２実施形態では、携帯電話は単なるキーボードとして用いて携帯電話のＬＣＤ１３０ａを用いる必要がなく、直接デジタルカメラ１００’のＬＣＤ１３０を見ながら直接画像加工を行うことができるので画像加工の作業が単純になる。
【図面の簡単な説明】
【００７６】
【図１】本発明の撮像装置の一実施形態が適用された本発明のカメラシステムの一実施形態を表す図である。
【図２】本発明の撮像装置の一実施形態であるデジタルカメラを前面斜め上から見た外観斜視図である。
【図３】本発明の撮像装置の一実施形態であるデジタルカメラを背面斜め上から見た外観斜視図である。
【図４】図２および図３に外観を示すデジタルカメラの概略構成図である。
【図５】図１に示す携帯電話の外観図である。
【図６】図５に外観を示す携帯電話の概略構成図である。
【図７】図５に示すＬＣＤ上に表示されるアプリケーションメニューの画面を表す図である。
【図８】図１に示すカメラシステムにおける画像加工の作業の流れを表すフローチャートである。
【図９】図３に示すＬＣＤ１３０上に再生されている画像を表す図である。
【図１０】絵が書き込まれた画像と、その絵についての位置情報のデータとコード情報のデータとを表した図である。
【図１１】図９に示す画像に対し、入力画像が合成されてできた合成画像を表す図である。
【図１２】表示画面上で直接画像加工を行う機能を有するデジタルカメラの概略構成図である。
【図１３】撮像装置の表示画面上で直接画像加工を行うカメラシステムにおける画像加工の作業の流れを表すフローチャートである。
【符号の説明】
【００７７】
１００，１００’  デジタルカメラ
２００  携帯電話
４００  カメラシステム
１０１  撮影レンズ
１０２  光学式ファインダ対物窓
１０３  閃光発光部
１０４  電源スイッチ
１０  モードダイヤル
２４  十字キー
１０６  光学式ファインダ接眼窓
１２８  バッファメモリ
１５０  レリーズスイッチ
１５１  操作部
１６０  メニューボタン
１７０  実行／画面切換スイッチ
１１０  撮像部
１２０  ＣＰＵ
１２１  ＲＯＭ
１２２，１２２’  画像信号処理部
１２２＿１  機種認識部
１２２＿２  位置算出部
１２２＿３  画像変換部
１２２＿４  合成部
１２２＿５  コード認識部
１２２＿６  キー操作認識部
１２３  表示制御部
１２９  ＲＡＭ
１３０  ＬＣＤ
１３１  赤外線通信窓
１３５  通信部
１４０  画像記録部
１４１  メモリカード
１２００  バス
１０４ａ  電源スイッチ
２４ａ  十字キー
１２８ａ  バッファメモリ
１６０ａ  メニューボタン
１２０ａ  ＣＰＵ
１２１ａ  ＲＯＭ
１２２ａ  信号処理部
１２２ａ＿１  画像情報作成部
１２９ａ  ＲＡＭ
１３０ａ  ＬＣＤ
１３１ａ  赤外線通信窓１３１ａ
１３５ａ  通信部
１５１ａ  操作部
２０１  受話口
２０２  発音口
２０５  テンキー
１２００ａ  バス
【図１】
2007074012.tif 000003
【図２】
2007074012.tif 000004
【図３】
2007074012.tif 000005
【図４】
2007074012.tif 000006
【図５】
2007074012.tif 000007
【図６】
2007074012.tif 000008
【図７】
2007074012.tif 000009
【図８】
2007074012.tif 000010
【図９】
2007074012.tif 000011
【図１０】
2007074012.tif 000012
【図１１】
2007074012.tif 000013
【図１２】
2007074012.tif 000014
【図１３】
2007074012.tif 000015